(57)【要約】【課題】蓄熱剤等の袋体が着脱自在で、丸洗いができ、経済的で、重量調整が可能な敷パットを提供する。【解決手段】布地製パット本体１１と、パット本体１１の一方の面にマトリックス状に複数配設され、両サイドが開いた矩形状の第１ポケット１２と、第１ポケット１２の内側であってパット本体１１の一方の面に２個ずつ設けられた矩形状の第２ポケット１４とを備え、第２ポケット１４は、該第２ポケット１４の開口部１５が互いに向き合うように、第１ポケット１２の両サイドの位置に配設されており、第１ポケット１２の開口部１３を介して、第１ポケット１２と略同形同大の袋体３１を、該袋体３１の両サイドを第２ポケット１４に挟み込むことにより、パット本体１１に着脱可能にする。【選択図】図１
2011147539.tif 000002
【特許請求の範囲】
【請求項１】
布地製パット本体と、
前記パット本体の一方の面にマトリックス状に複数配設され、両サイドが開いた矩形状の第１ポケットと、
前記第１ポケットの内側であって前記パット本体の一方の面に２個ずつ設けられた矩形状の第２ポケットとを備え、
前記第２ポケットは、該第２ポケットの開口部が互いに向き合うように、前記第１ポケットの両サイドの位置に配設されており、
前記第１ポケットの開口部を介して、前記第１ポケットと略同形同大の袋体を、該袋体の両サイドを前記第２ポケットに挟み込むことにより、前記パット本体に着脱可能にし、
前記第１のポケットには、開口を有さない側の両サイドに、張出部が設けられており、
前記袋体は、前記袋体の着脱方向と垂直方向の両サイドに切欠部が設けられており、
前記切欠部と前記張出部とは、前記敷パットの第１ポケットに前記袋体を取り付けたとき、咬合するように構成されていることを特徴とする敷パット。
【請求項２】
前記袋体を、両サイドが前記第２ポケットに挟み込まれた状態で備えることを特徴とする請求項１に記載の敷パット。
【請求項３】
前記袋体は、
蓄熱剤又は蓄冷剤が封入された扁平なユニットが２つ連なっており、前記ユニットの各々が、矩形の四隅が丸みを帯びた形状に表面と裏面とが張り合わされた第１の貼着部を有し、前記ユニットが連なることにより、隣り合う前記第１の貼着部で前記切欠部が略Ｖ字状に形成され、
前記ユニットの連結方向の端縁部の表面と裏面とが帯状に張り合わされて形成される第２の貼着部とを備えることを特徴とする請求項１又は請求項２に記載の敷パット。
【請求項４】
前記袋体は、
各前記ユニットの中央部において、ドーナツ状に設けられた空洞と、
前記空洞を取り囲む縁部において、表面と裏面とが張り合わされて形成される第３の貼着部とを備えることを特徴とする請求項３に記載の敷パット。
【請求項５】
請求項１に記載の敷パットに着脱可能な敷パット用袋体であって、
蓄熱剤又は蓄冷剤が封入された扁平なユニットが２つ連なっており、前記ユニットの各々が、矩形の四隅が丸みを帯びた形状に表面と裏面とが張り合わされた第１の貼着部を有し、前記ユニットが連なることにより、隣り合う前記第１の貼着部で前記切欠部が略Ｖ字状に形成され、
前記ユニットの連結方向の端縁部の表面と裏面とが帯状に張り合わされて形成される第２の貼着部とを備えることを特徴とする敷パット用袋体。
【請求項６】
各前記ユニットの中央部において、ドーナツ状に設けられた空洞と、
前記空洞を取り囲む縁部において、表面と裏面とが張り合わされて形成される第３の貼着部とを備えることを特徴とする請求項５に記載の敷パット用袋体。
【請求項７】
蓄熱剤又は蓄冷剤が封入された扁平なユニットが複数連なっており、前記ユニットの各々が、矩形の四隅が丸みを帯びた形状に表面と裏面とが張り合わされた第１の貼着部を有し、前記ユニットが連なることにより、隣り合う前記第１の貼着部で切欠部が略Ｖ字状に形成され、前記ユニットの連結方向の端縁部の表面と裏面とが帯状に張り合わされて形成される第２の貼着部とを備える敷パット用袋体と、
各前記切欠部に咬合する略Ｖ字状の張出部を備える布地製パット本体とから構成され、
各前記ユニットは、各前記切欠部と各前記張出部とが咬合することによって、前記布地製パット本体の内部に固定・収容されることを特徴とする敷パット。
【請求項８】
敷パット用袋体は、
各前記ユニットの中央部において、ドーナツ状に設けられた空洞と、
前記空洞を取り囲む縁部において、表面と裏面とが張り合わされて形成される第３の貼着部とを備え、
両端にあるユニットの第３の貼着部において、前記敷パット本体に対して固着されていることを特徴とする請求項７に記載の敷パット。
【発明の詳細な説明】
【技術分野】
【０００１】
本発明は、蓄熱剤（又は蓄冷剤）が封入された袋体を着脱可能にした敷パット及び敷パット用袋体に関する。
【背景技術】
【０００２】
この種の敷パットとして、従来、図８に示す技術が知られている（例えば、特許文献１を参照。）。この敷パット１０１は、布地製パット本体１０２と、その一方の面に設けられた脱臭剤収納用ポケット１０３と、そのポケット１０３内に収納された脱臭剤１０４とから構成されている。
【０００３】
この敷パット１０１によれば、布地製パット本体１０２に脱臭剤１０４が取り付けられているので、その脱臭効果及び吸湿効果により、敷パットの爽快感を維持することができ、快適に眠ることができる。
【０００４】
また、従来、図９に示す技術が知られている（例えば、特許文献２を参照。）。この座席シート２０１は、使用温度範囲で液体又は半流動体である蓄熱剤２０２と、この蓄熱剤２０２を封入する網目状支持構造体２０３とから構成されている。
【０００５】
この座席シート２０１によれば、エンジンを停止しても、所定時間ならば、運転席を暖めた状態にしておくことができる。
【０００６】
図１０は、これらの敷パット１０１の技術的思想と蓄熱剤２０２の技術的思想とを組み合わせてなる敷パット３０１を示している。
【０００７】
この敷パット３０１によれば、布地製パット本体３０２に蓄熱剤３０４が取り付けられているので、その保温効果又は保冷効果により、夏は涼しく冬は暖かく、快適に眠ることができる。
【先行技術文献】
【特許文献】
【０００８】
【特許文献１】特開２０００ー２７９２７７
【特許文献２】特開２０００ー３２５３８４
【発明の概要】
【発明が解決しようとする課題】
【０００９】
しかしながら、この敷パット３０１は、蓄熱剤３０４が蓄熱剤収納用ポケット３０３内に収納された状態で縫製されて着脱不能に取り付けられているため、丸洗いができないという問題がある。
【００１０】
また、蓄熱剤３０４は、何年かすると中身が水分の蒸発により少なくなり、劣化し、効能も悪くなるため、取り替える必要がある。しかし、敷パット３０１は、蓄熱剤３０４とパット本体３０２とが、前述の通り一体化されているため、蓄熱剤３０４を取り替える場合には、新しい敷パット３０１を購入する以外になく、不経済という問題がある。
【００１１】
さらに、敷パット３０１は、前述の通り、蓄熱剤３０４が敷き詰められて縫製されており、取り替えができない構成であるので、例えば高齢者や女性等にとっては重い場合があり、高齢者や女性等が軽いものを望んでも重量調整ができないという問題がある。
【００１２】
そこで、本発明が解決しようとする課題は、蓄熱剤等の袋体が着脱不能に取り付けられていることに起因する、丸洗いができないという問題、不経済という問題、重量調整ができないという問題を解消できる敷パットを提供することである。
【課題を解決するための手段】
【００１３】
この発明は、前記課題を解決するためになされたもので、請求項１に記載の敷パットは、布地製パット本体と、前記パット本体の一方の面にマトリックス状に複数配設され、両サイドが開いた矩形状の第１ポケットと、前記第１ポケットの内側であって前記パット本体の一方の面に２個ずつ設けられた矩形状の第２ポケットとを備え、前記第２ポケットは、該第２ポケットの開口部が互いに向き合うように、前記第１ポケットの両サイドの位置に配設されており、前記第１ポケットの開口部を介して、前記第１ポケットと略同形同大の袋体を、該袋体の両サイドを前記第２ポケットに挟み込むことにより、前記パット本体に着脱可能にし、前記第１のポケットには、開口を有さない側の両サイドに、張出部が設けられており、前記袋体は、前記袋体の着脱方向と垂直方向の両サイドに切欠部が設けられており、前記切欠部と前記張出部とは、前記敷パットの第１ポケットに前記袋体を取り付けたとき、咬合するように構成されていることを特徴としている。
【００１４】
請求項１に記載の敷パットによれば、前記第１ポケットの両サイドを開いているので、前記袋体を前記第１ポケットに収容できるとともに、前記第１ポケットの内側に前記第２ポケットを設け、該第２ポケットが前記袋体の両サイドを挟み込む構成となっているため、前記袋体が、前記第１ポケット外に飛び出すことなく、前記第１ポケットを介して、必要に応じて着脱できる。
【００１５】
また、請求項１に記載の敷パットによれば、前記第１ポケットの両サイドに開口部を設けているので、第２ポケットに前記袋体を取り付ける際、或いは、第２ポケットから前記袋体を取り外す際に、どちらの方向からも行うことができる。したがって、第２ポケットを介して行う前記袋体の取り付け又は取り外し作業がし易いという利点がある。
【００１６】
また、請求項１に記載の敷パットによれば、前記第１ポケットに設けられた張出部と前記袋体に設けられた切欠部とが咬合するため、第１のポケットの中に収容された袋体が安定化してずれにくい。
【００１７】
また、請求項１に記載の敷パットによれば、例えば、前記袋体の中身に主成分が水であるジェルを用いることで、ユーザーは、ウォーターベッドのような感覚で使用できる。
【００１８】
また、請求項１に記載の発明によれば、例えば、前記袋体の中身に脱臭材を用いることで、ユーザーは、その脱臭効果及び吸湿効果により、敷パットの爽快感を維持することができる。
【００１９】
また、請求項１に記載の敷パットによれば、前記袋体が着脱可能であるため、丸洗いができないという問題、不経済という問題、重量調整ができないという問題が解消する。
【００２０】
請求項２に記載の敷パットは、請求項１において、前記袋体を、両サイドが前記第２ポケットに挟み込まれた状態で備えることを特徴としている。
【００２１】
請求項２に記載の敷パットによれば、請求項１の効果に加えて、前記袋体を装着済みであるので、ユーザーは、袋体の交換時期まで別途に袋体を購入しなくて済む。
【００２２】
請求項３に記載の敷パットは、請求項１又は請求項２において、前記袋体は、蓄熱剤又は蓄冷剤が封入された扁平なユニットが２つ連なっており、前記ユニットの各々が、矩形の四隅が丸みを帯びた形状に表面と裏面とが張り合わされた第１の貼着部を有し、前記ユニットが連なることにより、隣り合う前記第１の貼着部で前記切欠部が略Ｖ字状に形成され、前記ユニットの連結方向の端縁部の表面と裏面とが帯状に張り合わされて形成される第２の貼着部とを備えることを特徴としている。
【００２３】
請求項３に記載の敷パットによれば、請求項１又は請求項２の効果に加えて、前記袋体の中身を蓄熱剤又は蓄冷剤としたので、冬は蓄熱剤、夏は蓄冷剤というように季節に応じて、前記袋体を交換することができる。したがって、ユーザーは、経済的に、その保温効果又は保冷効果により、夏は涼しく冬は暖かく、快適に眠ることができる。
【００２４】
また、請求項３に記載の敷パットによれば、請求項１又は請求項２の効果に加えて、前記袋体の中央部に切欠部が形成されるため、第１のポケットの中で袋体がより安定化するとともに、よりずれにくいという利点がある。
【００２５】
請求項４に記載の敷パットは、請求項３において、前記袋体は、各前記ユニットの中央部において、ドーナツ状に設けられた空洞と、前記空洞を取り囲む縁部において、表面と裏面とが張り合わされて形成される第３の貼着部とを備えることを特徴としている。
【００２６】
請求項４に記載の敷パットによれば、請求項３の効果に加えて、各前記ユニットの中央部において、前記袋体がドーナツ状となることにより、上から圧力が加わったとき、中の蓄熱剤又は蓄冷剤が偏ることなく均等に広がり、バランスよく押し返すため、寝心地がよいものとなる。
【００２７】
また、請求項４に記載の敷パットによれば、請求項３の効果に加えて、各前記ユニットの中央部において、ドーナツ状に空洞が設けられているため、通気性がよくなり、就寝中の汗等の水分が空洞を介して下に放出されるため、人体に悪影響を及ぼすカビ等が発生しにくい。
【００２８】
請求項５に記載の敷パット用袋体は、請求項１に記載の敷パットに着脱可能な敷パット用袋体であって、蓄熱剤又は蓄冷剤が封入された扁平なユニットが２つ連なっており、前記ユニットの各々が、矩形の四隅が丸みを帯びた形状に表面と裏面とが張り合わされた第１の貼着部を有し、前記ユニットが連なることにより、隣り合う前記第１の貼着部で前記切欠部が略Ｖ字状に形成され、前記ユニットの連結方向の端縁部の表面と裏面とが帯状に張り合わされて形成される第２の貼着部とを備えることを特徴としている。
【００２９】
請求項５に記載の敷パット用袋体によれば、前記袋体の中央部に切欠部が形成されるため、前記第１のポケットの中で前記袋体がより安定化するとともに、よりずれにくいという利点があり、請求項１に記載の敷パットに好適である。
【００３０】
請求項６に記載の敷パット用袋体は、請求項５において、各前記ユニットの中央部において、ドーナツ状に設けられた空洞と、前記空洞を取り囲む縁部において、表面と裏面とが張り合わされて形成される第３の貼着部とを備えることを特徴としている。
【００３１】
請求項６に記載の敷パット用袋体によれば、請求項５の効果に加えて、各前記ユニットの中央部において、前記袋体がドーナツ状となることにより、上から圧力が加わったとき、中の蓄熱剤又は蓄冷剤が偏ることなく均等に広がり、バランスよく押し返すため、寝心地がよいものとなる。
【００３２】
また、請求項６に記載の敷パット用袋体によれば、請求項５の効果に加えて、各前記ユニットの中央部において、ドーナツ状に空洞が設けられているため、通気性がよくなり、就寝中の汗等の水分が空洞を介して下に放出されるため、人体に悪影響を及ぼすカビ等が発生しにくい。
【００３３】
請求項７に記載の敷パットは、蓄熱剤又は蓄冷剤が封入された扁平なユニットが複数連なっており、前記ユニットの各々が、矩形の四隅が丸みを帯びた形状に表面と裏面とが張り合わされた第１の貼着部を有し、前記ユニットが連なることにより、隣り合う前記第１の貼着部で切欠部が略Ｖ字状に形成され、前記ユニットの連結方向の端縁部の表面と裏面とが帯状に張り合わされて形成される第２の貼着部とを備える敷パット用袋体と、各前記切欠部に咬合する略Ｖ字状の張出部を備える布地製パット本体とから構成され、各前記ユニットは、各前記切欠部と各前記張出部とが咬合することによって、前記布地製パット本体の内部に固定・収容されることを特徴としている。
【００３４】
請求項７に記載の敷パットによれば、各前記ユニットは、各前記切欠部と各前記張出部とが咬合することによって、前記布地製パット本体の内部に固定・収容されるため、敷パット用袋体が捩れたり偏在することが防止される。そして、敷パット使用者に対して効果的な冷感又は温感を提供することができる。
【００３５】
請求項８に記載の敷パットは、請求項７において、敷パット用袋体は、各前記ユニットの中央部において、ドーナツ状に設けられた空洞と、前記空洞を取り囲む縁部において、表面と裏面とが張り合わされて形成される第３の貼着部とを備え、両端にあるユニットの第３の貼着部において、前記敷パット本体に対して固着されていることを特徴としている。
【００３６】
請求項８に記載の敷パットによれば、請求項７の効果に加えて、各前記ユニットの中央部において、ドーナツ状に空洞が設けられているため、通気性がよくなり、就寝中の汗等の水分が空洞を介して下に放出されるため、人体に悪影響を及ぼすカビ等が発生しにくい。
【００３７】
また、請求項８に記載の敷パットによれば、請求項７の効果に加えて、敷パット用袋体は、両端にあるユニットの第３の貼着部において、前記敷パット本体に対して固着されているので、敷パット本体と敷パット用袋体とが一体化する。したがって、敷パットを普通の使用状態で使用したり折り畳んで使用したりしても、より一層、敷パット用袋体が捩れたり偏在することが防止される。
【発明の効果】
【００３８】
本発明によれば、蓄熱剤等の袋体を着脱可能にしたことにより、パット本体と袋体とを分離でき、袋体が劣化してもパット本体は長期間にわたり使用でき、所望の袋体を必要な量だけ取り付けることができるので、例えば、丸洗いができ、経済的であって、重量調整も可能な敷パットを提供することができる。
【００３９】
また、本発明によれば、袋体の中身を蓄熱剤又は蓄冷剤とした場合には、冬は蓄熱剤、夏は蓄冷剤というように季節に応じて、袋体を交換することができ、ユーザーは、経済的に、その保温効果又は保冷効果により、夏は涼しく冬は暖かく、快適に眠ることができる。それ以外の季節には、例えば、袋体の中身に水又は主成分が水であるジェルを用いることで、ユーザーは、ウォーターベッドのような感覚で本発明に係る敷パットを使用することもできる。
【図面の簡単な説明】
【００４０】
【図１】本発明に係る敷パットの一実施形態を示す模式図であって、（Ａ）平面図、（Ｂ）底面図である。
【図２】本発明に係る敷パットの一実施形態を模式的に示すＡ−Ａ'断面図である。
【図３】本発明に係る敷パット用袋体の一実施形態を模式的に示す平面図である。
【図４】本発明に係る敷パット用袋体において、上から圧力がかかったときの中の蓄熱剤又は蓄冷剤の動きの説明に供する図である。
【図５】本発明に係る敷パットの一実施形態であって、（Ａ）袋体を装着し始めの状態、（Ｂ）袋体のサイドの一方が内側のポケットに装着された状態、（Ｃ）袋体の装着が完了した状態を模式的に示すＡ−Ａ'断面図である。
【図６】本発明に係る敷パットの製造工程を示すフローチャートである。
【図７】本発明に係る敷パットの他の実施形態を示す模式的に示す平面図である。
【図８】第１従来例であって、脱臭剤がパット本体に着脱不能に取り付けられた敷パットを示す模式図である。
【図９】第２従来例であって、蓄熱剤が取り付けられた座席シートを示す模式図である。
【図１０】第１従来例と第２従来例とを組み合わせてなる実施例であって、蓄熱剤がパット本体に着脱不能に取り付けられた敷パットを示す模式図である。
【発明を実施するための形態】
【００４１】
以下、本発明を適用した具体的な実施の形態について、図面を参照しながら詳細に説明する。本発明は、例えば図１に示すような構成の敷パット１又は敷パット５１に適用される。
【００４２】
１．敷パット１の構成及び製造方法
先ず、図１を参照して、敷パット１の構成の概略について説明する。図１は、図の列方向に間隙１６を設けて第１ポケット１２を行と列（以下、マトリックス状という。）とに規則正しく隙間なく配設した実施例１を示している。
【００４３】
この敷パット１は、図１に示すように、布地製パット本体１１と、パット本体１１の一方の面にマトリックス状に複数配設され、両サイドが開いた矩形状の第１ポケット１２と、第１ポケット１２の内側であってパット本体１１の一方の面に２個ずつ設けられた矩形状の第２ポケット１４とを主要部として備えている。
【００４４】
また、図２に示すように、この敷パット１において、第２ポケット１４は、第２ポケット１４の開口部１５が互いに向き合うように、第１ポケット１２の両サイドの位置に配設されており、第１ポケット１２の開口部１３を介して、第１ポケット１２と略同形同大の袋体３１を、袋体３１の両サイドを第２ポケット１４に挟み込むことにより、パット本体１１に着脱可能にしている。
【００４５】
ここで、図１に示すように、列方向に間隙１６を設けて第１ポケット１２を配設した場合、敷パット１の単位面積あたりの重量を軽くすることができる。なお、列方向の間隙１６の巾は、例えば２．５ｃｍ程度とする。
【００４６】
パット本体１１は、肌にサラリとした感触を与える綿１００％の生地が使用されている。なお、生地は、レーヨンやポリエステル等の布素材でも構わない。実施例１のサイズは、例えば９０×５０ｃｍ（行×列）程度である。
【００４７】
第１ポケット１２は、図１に示すように、矩形状をしており、行方向の両サイドに開口部１３が設けられている。第１ポケット１２は、ポリエステルからなるダブルラッセル（三次元構造立体編物）が使用されている。この素材は通気性に優れるため、敷布団と接触しても生地部分にカビが生えにくく衛生的である。
【００４８】
第１ポケット１２は、列方向にはパット本体１１よりも若干小さめで、行方向にはパット本体１１の３等分よりも若干小さめにしたサイズのダブルラッセル（以下、ダブルラッセル列２１という。）が間隔を開けて行方向に縫い合わされてなる。
【００４９】
実施例１の敷パット１は、ダブルラッセル列２１の列方向の両サイドが縫い合わされ、その間に等間隔で３本縫い合わされて、行方向に開口部１３を有する４つの第１ポケット１２が形成されている。ここで、第１ポケット１２の列方向の巾は、１２．５ｃｍ程度である。
【００５０】
実施例１の敷パット１は、ダブルラッセル列２１の列方向の両サイドが縫い合わされ、その間に第１ポケット１２と間隙１６とが交互に繰り返されるように４本縫い合わされて、行方向に開口部１３を有する３つの第１ポケット１２が形成され、列方向の隣り合う第１ポケット１２の間に２．５ｃｍ程度の間隙１６が設けられている。ここで、第１ポケット１２の列方向の巾は、１２．５ｃｍ程度である。
【００５１】
実施例１の敷パット１は、このダブルラッセル列２１が行方向に間隙１７（例えば２ｃｍ程度）を設けて３列縫い合わされており、３×３で合計９個の第１ポケット１２が設けられている。
【００５２】
第１ポケット１２には、列方向の両サイドの中央に、略Ｖ字形状の張出部２４が設けられている。この張出部２４は、第１ポケット１２を形成する際に、縫合によって形成される。この張出部２４と袋体３１の短手方向の両サイドの中央に設けられた切欠部３４とが咬合することによって、第１ポケット１２の中に収容された袋体３１が安定化してずれにくくなる。
【００５３】
第２ポケット１４は、図１に示すように、矩形状をしており、第１ポケット１２の内側であってパット本体１１の一方の面に２個ずつ設けられ、開口部１５が互いに向き合うように、第１ポケット１２の両サイドの位置に配設されている。第２ポケット１４も、第１ポケット１２と同様のダブルラッセルが使用されている。
【００５４】
第２ポケット１４は、列方向にはパット本体１１よりも若干小さめで、行方向には１０ｃｍ程度のサイズの帯状のダブルラッセル（以下、ダブルラッセル帯２２という。）とダブルラッセル列２１との重ね合わせ方及び縫製の工夫によって形成されてなる。
【００５５】
具体的には、図２を参照して説明する。図２は、図１のＡ−Ａ'断面（列方向からの断面）を模式的に示している。先ず、ダブルラッセル列２１とダブルラッセル帯２２とはレイヤーが異なり、ダブルラッセル帯２２は、ダブルラッセル列２１とパット本体１１との間に挟み込まれている。また、ダブルラッセル帯２２は間隙１７の位置に配されており、ダブルラッセル列２１の行方向の縁部はダブルラッセル帯２２と重なり重畳部１８を形成している。
【００５６】
そして、第２ポケット１４は、重畳部１８を形成していないダブルラッセル帯２２の中心線に沿って、ダブルラッセル帯２２とパット本体１１とが縫い合わされ、さらに、ダブルラッセル帯２２が、ダブルラッセル列２１とパット本体１１との間に挟み込まれた状態で、前述の第１ポケット１２を形成するための縫製がされてなる。
【００５７】
また、図２に示すように、第１ポケット１２及び第２ポケット１４は、縁部が折り返して形成される２枚折の部分が列方向に縫い合わされている。この２枚折縫製によって、開口部１３及び１５は、補強されるとともに、袋体３１の着脱がしやすくなっている。
【００５８】
袋体３１は、中身が脱臭材であれば、通気性の良い素材を選択し、中身が液体又は半流体物（ジェル体）であれば、その構成成分が透過したり、逆に、外部の酸素や紫外線が侵入してその構成成分を変質させない、ガス非透過性及び光遮断性を備えたものが望ましい。
【００５９】
実施例１においては、袋体３１の中に蓄熱剤３２又は蓄冷剤３３が封入されている。蓄熱剤３２としては、使用温度範囲で、液体又は半流動体（ジェル）のものであり、水でもよいが、比熱が水より大きいものが、蓄熱能が大きいので望ましい。例えば、特許第２８０８０９０号公報に記載されている洗浄剤組成物を使用できる。
【００６０】
袋体３１は、図３に示すように、扁平なユニット３５が２つ連なっており、ユニット３５の各々が、矩形の四隅が丸みを帯びた形状に表面と裏面とが張り合わされた第１貼着部３６を有し、ユニット３５が連なることにより、隣り合う第１貼着部３６で切欠部３４が略Ｖ字状に形成されている。また、袋体３１は、ユニット３５の連結方向の端縁部の表面と裏面とが帯状に張り合わされて形成される第２貼着部３７を備えている。
【００６１】
また、袋体３１は、各ユニット３５の中央部において、ドーナツ状に設けられた空洞３８と、空洞３８を取り囲む縁部において、表面と裏面とが張り合わされて形成される第３貼着部３９とを備えている。
【００６２】
袋体３１は、ナイロンフィルムとポリエチレンフィルムとを積層した上下のラミネートフィルムを重ね合わせて空洞３８以外の開口部を熱圧着（熱融着）して袋状体を形成し、形成された袋状空間に蓄熱剤３２又は蓄冷剤３３を封入した後、開口部を熱圧着して閉止している。袋体３１は、第１ポケット１２に着脱可能であるように寸法構成されている。
【００６３】
さらに、袋体３１は、空洞３８及び各ユニット３５の四隅が丸くなっていることにより、図４に示すように、上から圧力が加わったとき、蓄熱剤３２又は蓄冷剤３３が各ユニット３５の中で均等に広がり、図中のＡ，Ｂ，Ｃ，Ｄの蓄熱剤３２又は蓄冷剤３３の量が均等となる。したがって、袋体３１は、上から圧力が加わったとき、中の蓄熱剤３２又は蓄冷剤３３が偏ることなくバランスよく押し返す。
【００６４】
図５（Ｃ）は、袋体３１を敷パット１に装着した状態を示す模式図である。袋体３１は、図５（Ｃ）に示すように、両サイドが第２ポケット１４に収容されるのでしっかりと固定され、人為的に取り外さない限り、飛び出さないようになっている。
【００６５】
続いて、図６を参照して、敷パット１の製造方法について説明する。図６は、敷パット１の製造工程を示すフローチャートである。
【００６６】
敷パット１は、図６に示すように、裏生地裁断工程（ステップＳＴ１）、部品加工工程（ステップＳＴ２）、仮止め工程（ステップＳＴ３）、多針キルティング加工工程（ステップＳＴ４）、バイアス補強工程（ステップＳＴ５）、袋体装着工程（ステップＳＴ６）が実行されて製造される。以下、敷パット１の製造方法を工程毎に説明する。
【００６７】
ステップＳＴ１では、裏生地となるダブルラッセル生地をダブルラッセル列２１やダブルラッセル帯２２の態様となるように裁断する。この工程では、パーツを縫い合わせたときに縫い目部分や各パーツ部分の間隔が均等になるように裁断の正確性が求められている。
【００６８】
ステップＳＴ２では、開口部１３や開口部１５となる部分の２枚折縫製を行う。この２枚折縫製によって、開口部１３及び１５は、補強されるとともに、袋体３１の着脱がしやすくなっている。
【００６９】
ステップＳＴ３では、ステップＳＴ２において加工された、ダブルラッセル列２１及びダブルラッセル帯２２を前述の構成となるように重ね合わせ、仮止め縫製を行う。
【００７０】
ステップＳＴ４では、表生地となる綿１００％の生地とステップＳＴ３で仮止め縫製を行った裏生地とを合わせて、多針キルティング加工によってキルティングと同時に所定のサイズに裁断する。
【００７１】
ステップＳＴ５では、ステップＳＴ４において裁断された４辺を４重にバイアス補強して敷パット１を完成させる。
【００７２】
ステップＳＴ６では、蓄熱剤（又は蓄冷剤）３２が封入された袋体３１をステップＳＴ５において完成した敷パット１に装着する。
【００７３】
２．敷パット５１の構成及び製造方法
続いて、図７を参照して、敷パット５１の構成の概略について説明する。矩形状をした敷パット５１は、図７に示すように、パット本体６１と、袋体８１とを主要部として備えている。
【００７４】
パット本体６１は、肌にサラリとした感触を与える綿１００％の生地が使用されている。なお、生地は、レーヨンやポリエステル等の布素材でも構わない。実施例２の敷パット５１のサイズは、例えば９０×５０ｃｍ（行×列）程度である。
【００７５】
パット本体６１は、上カバー６２と下カバー６３とを重ね合わせてその行方向の周縁端部を縫製して、行方向に延在する周縁端部側の縫合部６４を上下に形成する。上カバー６２と下カバー６３とは、袋状に一体化される。縫合部６４には、略Ｖ字状の張出部６６を等間隔に５つ形成する。
【００７６】
行方向に延在する周縁端部側の縫合部６４の間に、行方向に延在する縫合部６５を４つ形成する。縫合部６５には、縫合部６４と同じく、略Ｖ字状の張出部６６を等間隔に５つ形成する。
【００７７】
このようにすると、縫合部６４及び縫合部６４の間、又は、縫合部６５及び縫合部６４の間には、両開きの袋形状をした行方向に延在する３つの収容室７１が形成される。
【００７８】
収容室７１には、６つのユニットが連なった袋体８１を左又は右の開口部から装入し、収容する。
【００７９】
袋体８１は、蓄熱剤８２又は蓄冷剤８３が封入された扁平なユニット８５が６つ連なっており、ユニット８５の各々が、矩形の四隅が丸みを帯びた形状に表面と裏面とが張り合わされた第１貼着部８６を有している。
【００８０】
また、袋体８１は、ユニット８５が連なることにより、隣り合う第１貼着部８６で切欠部８４が略Ｖ字状に形成され、ユニット８５の連結方向の端縁部の表面と裏面とが帯状に張り合わされて形成される第２貼着部８７とを備えている。
【００８１】
また、袋体８１は、各ユニット８５の中央部において、ドーナツ状に設けられた空洞８８と、空洞８８を取り囲む縁部において、表面と裏面とが張り合わされて形成される第３貼着部８９とを備えている。
【００８２】
また、袋体８１は、ナイロンフィルムとポリエチレンフィルムとを積層した上下のラミネートフィルムを重ね合わせて空洞８８を除く開口部を熱圧着（熱融着）して袋状体を形成し、形成された袋状空間に蓄熱剤８２又は蓄冷剤８３を封入したあと開口部を熱圧着して閉止している。袋体８１は、収容室７１に挿入可能であるように寸法構成されている。
【００８３】
さらに、袋体８１は、空洞８８及び各ユニット８５の四隅が丸くなっていることにより、図４に示すように、上から圧力が加わったとき、蓄熱剤８２又は蓄冷剤８３が各ユニット８５の中で均等に広がり、図中のＡ，Ｂ，Ｃ，Ｄの蓄熱剤８２又は蓄冷剤８３の量が均等となる。したがって、袋体８１は、上から圧力が加わったとき、中の蓄熱剤８２又は蓄冷剤８３が偏ることなくバランスよく押し返す。
【００８４】
袋体８１を収容室７１に収容する際には、パット本体６１に形成されている全ての張出部６６と、袋体８１に形成されている全ての切欠部８４とが咬合するようにする。これにより、袋体８１は、パット本体６１の内部に固定・収容される。
【００８５】
また、パット本体６１の中央において、パット本体６１と袋体８１とを縫製して列方向に延在する縫合部６７を形成し、両端にあるユニット８５の第３貼着部８９において、パット本体６１に対して縫製して縫合部９０を形成し、袋体８１が固着するようにしてもよい。このようにすると、パット本体７１と袋体８１とが一体化し、敷パットを普通の使用状態で使用したり折り畳んで使用したりしても、より一層、袋体８１が捩れたり偏在することが防止される。
【００８６】
最後に、パット本体６１の列方向の周縁端部を縫製して、袋体８１が収容された各収容室７１を閉止して、実施例２の敷パット５１が完成する。
【００８７】
３．敷パット１又は敷パット５１の使用方法
図５を参照して、敷パット１へ袋体３１を取り付ける方法について説明する。先ず、図５（Ａ）に示すように、袋体３１を、第１ポケット１２の一方の開口部１３から第１ポケット１２の内側へ挿入する。この際、第１ポケット１２の他方の開口部１３から袋体３１を手で引っ張ると挿入しやすい。
【００８８】
そして、図５（Ｂ），（Ｃ）に示すように、第１ポケット１２の内側において、第２ポケット１４に袋体３１の両サイドを挿入する。第２ポケット１４に袋体３１を挿入しにくい場合、第１ポケット１２の一方の開口部１３から或いは両方の開口部１３から、第１ポケット１２の内側に手を入れて、袋体３１のサイドを第２ポケット１４に手で挿入してもよい。
【００８９】
続いて、敷パット１から袋体３１を取り外す方法について説明する。先ず、第１ポケット１２の一方の開口部１３から、第１ポケット１２の内側に手を入れて、袋体３１のサイドを第２ポケット１４から取り出す。そして、袋体３１のサイドをそのまま開口部１３から引っ張り出すことで、敷パット１から袋体３１を取り外すことができる。
【００９０】
敷パット１又は敷パット５１は、通常、寝具やソファー等の上に敷いて使用する。また、フロアクッションとしても使用できる。例えば、蒸し暑い夏であれば、蓄冷剤３３を封入した袋体３１を装着した敷パット１又は敷パット５１を寝具やソファー等の上に敷いて寝るだけで、蓄冷剤３３が体温を効率的に奪い、涼しさを体感できる。この際、蓄冷剤３３を封入した袋体３１を予め冷蔵庫等で冷やしておき、寝る前に、敷パット１に必要な分だけ装着して使用することもできる。
【００９１】
また、例えば、寒い冬であれば、蓄熱剤３２を封入した袋体３１を装着した敷パット１を寝具やソファー等の上に敷いて寝るだけで、蓄熱剤３２の保温効果により暖かさを体感できる。この際、蓄熱剤３２を封入した袋体３１を予めコタツ等で暖めておき、寝る前に、敷パット１に必要な分だけ装着して使用することもできる。
【００９２】
さらに、敷パット１を敷いたまま、被介護者を横や前に起こして空いたところに袋体３１を着脱するという使用の仕方もできる。また、敷パット１は、行及び列方向の縫合線２３に沿って折り畳むことができるので、被介護者が寝ている状態の狭いスペースにおいても、敷きやすく、取り外しやすいという利点があり、特に、（老人）介護の場面に有用である。
【００９３】
なお、本発明は前述した実施の形態のみに限定されるものではなく、本発明の要旨を逸脱しない範囲において種々の変更が可能であることは勿論である。特に、本発明は、前述の通り、袋体３１の中身を替えることにより種々の用途（例えば脱臭，保冷，保温）に使用できることにとどまらず、敷パット１のサイズを変更することで、例えば、枕の上に敷いて使用する実施の形態（枕パット）にも適用できる。
【符号の説明】
【００９４】
１  敷パット，  １１  パット本体，  １２  第１ポケット，  １３  開口部，  １４  第２ポケット，  １５  開口部，  １６  間隙，  １７  間隙，  １８  重畳部，  １９  ４重縫合部，  ２１  ダブルラッセル列，  ２２  ダブルラッセル帯，  ２３  縫合線，  ２４  張出部，  ３１  袋体，  ３２  蓄熱剤，  ３３  蓄冷剤，  ３４  切欠部，  ３５  ユニット，  ３６  第１貼着部，  ３７  第２貼着部，  ３８  空洞，  ３９  第３貼着部，  ５１  敷パット，  ６１  パット本体，  ６２  上カバー，  ６３  下カバー，  ６４  縫合部，  ６５  縫合部，  ６６  張出部，  ６７  縫合部，  ７１  収容室，  ８１  袋体，  ８２  蓄熱剤，  ８３  蓄冷剤，  ８４  切欠部，  ８５  ユニット，  ８６  第１貼着部，  ８７  第２貼着部，  ８８  空洞，  ８９  第３貼着部，  ９０  縫合部，  １０１  敷パット，  １０２  パット本体，  １０３  脱臭剤収納用ポケット，  １０４  脱臭剤，  ２０１  座席シート，  ２０２  蓄熱剤，  ２０３  網目状支持構造体，  ２０４  蓄熱シート，  ３０１  敷パット，  ３０２  布地製パット本体，  ３０３  蓄熱剤収納用ポケット，  ３０４  蓄熱剤
【図１】
2011147539.tif 000003
【図２】
2011147539.tif 000004
【図３】
2011147539.tif 000005
【図４】
2011147539.tif 000006
【図５】
2011147539.tif 000007
【図６】
2011147539.tif 000008
【図７】
2011147539.tif 000009
【図８】
2011147539.tif 000010
【図９】
2011147539.tif 000011
【図１０】
2011147539.tif 000012